(57)【要約】【課題】ピンシリンダー錠に対して、簡単かつ確実に合鍵を作製することが可能なピンシリンダー錠の検知治具を提供する。【解決手段】外筒に設けた外ピンの径小部よりも太い径大部の第１頂面と内筒に設けた内ピンの径小部よりも太い径大部の第２頂面とをキーによってシェアラインに一致させることによって開錠が可能となるようにしたピンシリンダー錠に関する。内筒のキー挿入溝に挿入可能なダミーキー３０における内ピンに摺接する摺接面３３が第１の所定量だけ切削除去された第１の検知治具と、内筒のキー挿入溝に挿入可能なダミーキーにおける内ピンに摺接する摺接面３３が第２の所定量だけ切削除去された第２の検知治具と、各検知治具の切削された表面に貼り付けられるテープ４とを備えたことを特徴とする。【選択図】図４
0003132506.tif 000002
【実用新案登録請求の範囲】
【請求項１】
外筒に内筒を回動自在に嵌装し、外筒に設けた外ピンの径小部よりも太い径大部の第１頂面と内筒に設けた内ピンの径小部よりも太い径大部の第２頂面とをキーによって内筒と外筒とのシェアラインに一致させることによって内筒の回動が可能となるようにしたピンシリンダー錠において、
前記内筒のキー挿入溝に挿入可能なダミーキーにおける前記内ピンに摺接する摺接面の表面層が下記の第１の所定量だけ切削除去された第１の検知治具と、前記内筒のキー挿入溝に挿入可能なダミーキーにおける前記内ピンに摺接する摺接面の表面層が下記の第２の所定量だけ切削除去された第２の検知治具と、
前記各検知治具の切削された表面に貼り付けられるテープと、
を備えたピンシリンダー錠の検知治具セット
第１の所定量：前記第１の検知治具の前記摺接面に前記テープを貼り付け、当該第１の検知治具をキー挿入溝に挿入し、前記テープが１つの内ピンに接触した状態において、前記１つの内ピンの第２頂面を形成する第２曲面の頂部が前記シェアラインから外筒に向って突出し、かつ、前記第２曲面の下端が前記シェアラインよりも内筒に向って退避することになる量
第２の所定量：前記第２の検知治具の前記摺接面に前記テープを貼り付け、当該第２の検知治具をキー挿入溝に挿入し、前記テープが別の内ピンに接触した状態において、前記内筒を外筒に対して回転させようとしたときに、前記別の内ピンの径大部が前記シェアラインにおいて前記内筒と外筒とによって剪断力を受ける位置となる量。
【考案の詳細な説明】
【技術分野】
【０００１】
本考案は、合鍵作成時に用いるピンシリンダー錠の検知治具セットに関する。
【背景技術】
【０００２】
従来より、ピンシリンダー錠が提案されている（特許文献１）。
【特許文献１】特開２００２−１２１９３９（要約）
【０００３】
かかるピンシリンダー錠の一例を図１および図２に示す。
図１に示すように、ピンシリンダー錠は、外筒１および内筒２を備えている。内筒２は外筒１に対して回動自在に嵌装されている。外筒１および内筒２内には、一対の外ピン１０および内ピン（タンブラー）１１が複数箇所に渡って設けられている。外ピン１０および内ピン１１は、キー３００（図２）の挿入方向Ｘに沿って一列に設けられている。前記外ピン１０および内ピン１１の組は、図１および図２で示す上部に設けられた外筒１および内筒２以外に左右に一対づつ、合計３列に渡って設けられている。
【０００４】
前記外ピン１０および内ピン１１は、外筒１および内筒２内を摺動自在に設けられている。前記各外ピン１０および内ピン１１の長さは当該錠固有の長さにランダムに形成されている。
前記外ピン１０には、内ピン１１側が狭まった径小部１０ｂと、前記径小部１０ｂよりも太い径大部１０ｄからなる首部１０ａが形成されている。首部１０ａは、外ピン１０の長さに応じて複数箇所に設けられている。
【０００５】
前記外ピン１０において、内ピン１１側の端部には前記径大部１０ｄからなる頭部１０ｃが形成されている。外ピン１０の他端部にはスプリング１２が設けられている。前記スプリング１２により、外ピン１０は内ピン１１に向って付勢されている。
前記内ピン１１には、径小部１０ｂおよび該径小部１０ｂよりも太い径大部１１ｄが形成されている。
内ピン１１の外ピン１０側の端部には、内ピン１１の頭部１０ｃに接触する径大部１１ｄからなる上部１１ｃが形成されている。
【０００６】
前記ピンシリンダー錠を開錠するには、図２の破線で示すように、当該ピンシリンダー錠に合ったキー３００を内筒２のキー挿入溝２０に差し込む。
前記キー３００に形成された係合孔３０１に内ピン１１の先端１１ａが嵌り込むことにより、各内ピン１１が外筒１をそれぞれ外ピン１０側に押す。前記内ピン１１により、外筒１と内筒２との境界（シェアライン）Ｌと、外ピン１０の頭部１０ｃと内ピン１１の上部１１ｃの接触面Ｓとが一致し、内筒２が外筒１に対して回動可能となり、該ピンシリンダー錠の開錠を行うことができる。
すなわち、外筒１に設けた外ピン１０の頭部１０ｃの第１頂面１０ｒを形成する第１曲面１０ｒの頂面と、内筒２に設けた内ピン１１の上部１１ｃの第２頂面１１ｒを形成する第２曲面１１ｒの頂面とをキー３００を用いて、前記シェアラインＬに一致させることにより内筒２の回動が可能となり、前記ピンシリンダー錠の開錠が可能となる。
【考案の開示】
【０００７】
ところで、前記キー３００を紛失した場合などには、前記ピンシリンダー錠に基づいて合鍵を作製する必要がある。しかし、ピンシリンダーは、前述のような構成であるので、合鍵の作製が極めて難しい。
【０００８】
そこで、本考案者は、合鍵を作成することが可能なピンシリンダー錠の検知治具を考案した（特許文献２，３参照）。
【特許文献２】実用新案登録第３１２５４６１号（要約）
【特許文献３】実用新案登録第３１２８７７１号（要約）
【０００９】
しかし、市場では、より簡単かつ確実なピンシリンダー錠の検知治具の要望が高い。また、図１１に示す第４および第３内ピンＰ３，Ｐ４のように、上部１１ｃの厚みのみが異なり、該上部１１ｃ以下の長さが同じ内ピン１１が出現している。このような場合には、特許文献２および３の検知治具では合鍵の作成が難しい。
【００１０】
したがって、本考案の目的は、ピンシリンダー錠に対して、簡単かつ確実に合鍵を作製することが可能なピンシリンダー錠の検知治具セットを提供することである。
【００１１】
前記目的を達成するために、本考案のピンシリンダー錠の検知治具セットは、外筒に内筒を回動自在に嵌装し、外筒に設けた外ピンの径小部よりも太い径大部の第１頂面と内筒に設けた内ピンの径小部よりも太い径大部の第２頂面とをキーによって内筒と外筒とのシェアラインに一致させることによって内筒の回動が可能となるようにしたピンシリンダー錠において、
前記内筒のキー挿入溝に挿入可能なダミーキーにおける前記内ピンに摺接する摺接面の表面層が下記の第１の所定量だけ切削除去された第１の検知治具と、前記内筒のキー挿入溝に挿入可能なダミーキーにおける前記内ピンに摺接する摺接面の表面層が下記の第２の所定量だけ切削除去された第２の検知治具と、前記各検知治具の切削された表面に貼り付けられるテープと、を備えたことを特徴とする。
【００１２】
前記「第１の所定量」とは、前記第１の検知治具の前記摺接面に前記テープを貼り付け、当該第１の検知治具をキー挿入溝に挿入し、前記テープが１つの内ピンに接触した状態において、前記１つの内ピンの第２頂面を形成する第２曲面の頂部が前記シェアラインから外筒に向って突出し、かつ、前記第２曲面の下端が前記シェアラインよりも内筒に向って退避することになる量である。
前記「第２の所定量」とは、前記第２の検知治具の前記摺接面に前記テープを貼り付け、当該第２の検知治具をキー挿入溝に挿入し、前記テープが別の内ピンに接触した状態において、前記内筒を外筒に対して回転させようとしたときに、前記別の内ピンの径大部が前記シェアラインにおいて前記内筒と外筒とによって剪断力を受ける位置となる量である。
なお、前記「テープ」としては、たとえば、裏面に粘着剤が塗布ないし貼着されたアルミテープなどの金属テープを用いるのが好ましい。
【実施例１】
【００１３】
以下、本考案の一実施例について説明する。
なお、前述のように、ピンシリンダー錠の前記外ピン１０および内ピン１１は、外筒１および内筒２の上部および左右にそれぞれ設けられているが、まず、前記キー挿入溝２０の上部の検知方法について説明する。
【００１４】
検知治具３の構成：
図３に示すように、検知治具は、キー挿入溝２０（図１）に挿入可能なダミーキー３０（３０ａ〜３０ｄ）のセットからなる。ピンシリンダー錠の検知を行うには、ダミーキー３０にテープ４を貼付して行う。前記テープ４は、たとえば、裏面に粘着剤が塗布されたアルミテープからなる。
【００１５】
ここで、図２に示すキー３００の係合孔３０１の深さは、加工精度や、経時劣化、摩耗等を考慮されて数種類の深さに設定されている。以下の説明では、前記係合孔３０１の深さが４種類のキー３００を用いるピンシリンダー錠について説明する。
【００１６】
ダミーキー３０：
前記ピンシリンダー錠の合鍵を作成するには、４種類のダミーキー３０（３０ａ〜３０ｄ）を用いる。
図３に示すように、前記ダミーキー３０は、キー挿入溝２０（図１）に挿入される挿入部３１と、非挿入部３２とを備えている。
【００１７】
前記挿入部３１は、前記内ピン１１（図５〜図８）に摺接する摺接面３３の表面層が所定量だけ切削除去されている。前述のように、図２に示すキー３００の係合孔３０１の深さは４種類に設定されており、そのため、内ピン１１の長さは４種類存在する。したがって、図５〜図８に示すように、各ダミーキー３０ａ〜３０ｄの挿入部３１の摺接面３３は、テープ４が貼付された状態で、以下に説明するように、それぞれ異なる所定量だけ切削除去されている。
【００１８】
第１ダミーキー３０ａ；
図５に示すように、最も短い第１内ピンＰ１の位置を検知するための第１ダミーキー３０ａの摺接面３３は、該摺接面３３にテープ４を貼り付け、当該第１ダミーキー３０ａをキー挿入溝２０に挿入し、前記テープ４の表面が各内ピンＰ１〜Ｐ４の先端１１ａに接触した状態において、前記第１内ピンＰ１の第２曲面１１ｒの頂部が、シェアラインＬから外筒１に向って突出し、かつ、第２曲面１１ｒの下端がシェアラインＬよりも内筒２に向って退避する第１の所定量だけ切削除去されている。
【００１９】
第１の諸定量；
すなわち、前記第１の所定量は、テープ４が第１内ピンＰ１に接触した状態において、前記第１内ピンＰ１の第２頂面を形成する第２曲面１１ｒの頂部が前記シェアラインＬから外筒１に向って突出し、かつ、前記第２曲面１１ｒの下端がシェアラインＬよりも内筒２に向って退避することになる量である。
【００２０】
第２ダミーキー３０ｂ；
同様に、図６に示す次に短い第２内ピンＰ２の位置を検知するための第２ダミーキー３０ｂの摺接面３３は、テープ４の表面が各内ピンＰ１〜Ｐ４の先端１１ａに接触した状態において、前記第２内ピンＰ２の第２曲面１１ｒの頂部が、シェアラインＬから外筒１に向って突出し、かつ、第２曲面１１ｒの下端がシェアラインＬよりも内筒２に向って退避する前記第１の所定量だけ切削除去されている。
【００２１】
ここで、前述のように、第３および第４内ピンＰ３，Ｐ４は、上部１１ｃの長さのみ異なり、上部１１ｃよりも下の部分の長さが同一に形成されている。そこで、第３および第４内ピンＰ３，Ｐ４を検出するための第３および第４ダミーキー３０ｃ，３０ｄは、以下のように形成されている。
【００２２】
第３ダミーキー３０ｃ；
図７に示すように、前記第２内ピンＰ２よりも長い第３内ピンＰ３の位置を検知するための第３ダミーキー３０ｃの摺接面３３は、テープ４の表面が各内ピンＰ１〜Ｐ４の先端１１ａに接触した状態において、図１３に示すように、前記上部１１ｃの側面１１ｙがシェアラインＬに一致する第２の所定量だけ切削除去されている。
【００２３】
第２の諸定量；
すなわち、第３ダミーキー３０ｃにおける前記第２の所定量は、前記テープ４が第３内ピンＰ３に接触した状態において、図１２に示すように、内筒２を外筒１に対して回転させようとしたときに、図１３に示すように、第３内ピンＰ３の頭部１０ｃ（径大部１０ｄ）がシェアラインＬにおいて内筒２と外筒１とによって挟まれ、剪断力を受ける位置となる量に設定されている。
【００２４】
第４ダミーキー３０ｄ；
図８に示す最も長い第４内ピンＰ４の位置を検知するための第４ダミーキー３０ｄの摺接面３３は、テープ４の表面が各内ピンＰ１〜Ｐ４の先端１１ａに接触した状態において、前記上部１１ｃの側面がシェアラインＬに一致する第２の所定量だけ切削除去されている。
【００２５】
すなわち、第４ダミーキー３０ｄにおける第２の所定量は、第３内ピンＰ３の場合と同様に、図１２および図１３に示すように、内筒２を外筒１に対して回転させようとしたときに、第４内ピンＰ４の頭部１０ｃ（径大部１０ｄ）がシェアラインＬにおいて内筒２と外筒１とによって挟まれ、剪断力を受ける位置となる前記第２の所定量に設定されている。
【００２６】
なお、挿入部３１の摺接面３３の切削量は、たとえば、予め同種のピンシリンダー錠に用いるキー３００（図２）の係合孔３０１（図２）の深さと、テープ４の厚みとを計測することにより知ることができる。
また、図４に示すように、ダミーキー３０の挿入部３１の下部側面には、内ピン１１（図２）のピッチに対応する目盛３８が刻設されている。
【００２７】
検知方法（インプレッション方法）：
第１および第２内ピンＰ１，Ｐ２の検出方法；
まず、最も短い第１内ピンＰ１に対応する係合孔３０１の検知方法について説明する。
図５に示すように、第１ダミーキー３０ａの挿入部３１をキー挿入溝２０の奥まで差し込む。各内ピンＰ１〜Ｐ４の先端１１ａが、前記第１ダミーキー３０ａの摺接面３３に貼付されたテープ４にそれぞれ接触し、各内ピンＰ１〜Ｐ４が外ピン１０方向に押される。
【００２８】
前述のように、前記第１内ピンＰ１に対応する第１ダミーキー３０ａは、摺接面３３が所定量だけ切削除去されているので、図９に示すように、第１内ピンＰ１の上部１１ｃの第２曲面１１ｒの頂部が、シェアラインＬから外筒１に向って突出し、かつ、第２曲面１１ｒの下端がシェアラインＬよりも内筒２に向って退避する位置まで押される。
【００２９】
かかる状態で、第１ダミーキー３０ａを、矢印で示す方向Ｒに回すと、図１０に示すように、内筒２が外筒１に対して若干回動することにより、内ピン１１の第２頂面１１ｒの表面が外筒１の下端部１０ｅの下にもぐり込み、内ピン１１に対して下方向Ｚの力が生じる。そのため、内ピン１１の先端１１ａが第１ダミーキー３０ａ方向に押されて、図１４のように、テープ４の表面に該先端１１ａの傷跡４ａが生じる。
一方、図５に示す他の長さの内ピンＰ２〜Ｐ４には、前記回動方向Ｒ（図９）に若干の隙間があるため、第１ダミーキー３０ａを回した場合に、下方向Ｚへの力が生じないので、テープ４に傷跡４ａが生じない。
したがって、図１４のテープ４に刻設された傷跡４ａに基づき、最も短い第１内ピンＰ１の位置を検知することができる（特許文献３参照）。
【００３０】
同様に、前述の検知作業を、図６に示す第２ダミーキー３０ｂを用いて行い、前記第２内ピンＰ２の位置の位置を検知する。前記検知作業により、第２ダミーキー３０ｂのテープ４には、第２内ピンＰ２に対応する傷跡４ａが生じる。
【００３１】
第３および第４内ピンＰ３，Ｐ４の検出方法；
ここで、前述のように第３および第４内ピンＰ３，Ｐ４は、上部１１ｃのみの長さが異なり、上部１１ｃよりも下部の長さは同一に形成されている。そのため、図１１に示すように、前述した第１の所定量を用いて第３ダミーキー３０ｘを作成すると、第３ダミーキー３０ｘを回した場合、図１３に示すように、外筒１と内筒２によって第４内ピンＰ４が挟まれて剪断力が生じ、図１１に示す第４内ピンＰ４が、外筒１と内筒２とによって挟まれ、固定されるので、第３内ピンＰ３と共に第４内ピンＰ４についてもテープ４に傷跡４ａが生じる。そのため、第３ダミーキー３０ｘのテープ４には、第３内ピンＰ３と第４内ピンＰ４の両方の傷跡４ａが生じて、第３内ピンＰ３と第４内ピンＰ４とを区別することができなくなる。
【００３２】
第３内ピンＰ３の検出；
そこで、図７に示すように、第３ダミーキー３０ｃには、第３内ピンＰ３の上部１１ｃの側面１１ｙにのみ外筒１の側面１ｙが接触する位置に、該第３ダミーキー３０ｃの摺接面３３が形成されている。
【００３３】
第３ダミーキー３０ｃの挿入部３１をキー挿入溝２０の奥まで差し込むと、各内ピンＰ１〜Ｐ４の先端１１ａが、前記第３ダミーキー３０ｃの摺接面３３に貼付されたテープ４にそれぞれ接触し、各内ピンＰ１〜Ｐ４が外ピン１０方向に押される。
【００３４】
かかる状態で、図１２に示す第３ダミーキー３０ｃを矢印の方向Ｒに回すと、図１３に示すように、内筒２が外筒１に対して若干回動することにより、外筒１と内筒２によって第３内ピンＰ３が挟まれて剪断力が生じ、第３内ピンＰ３が固定されることにより、第３内ピンＰ３によりテープ４に傷跡４ａが生じる。
一方、図７に示す他の長さの内ピンＰ１，Ｐ２，Ｐ４には、前記回動方向Ｒ（図１２）に若干の隙間があるため、第３ダミーキー３０ｃを回した場合に、下方向Ｚへの力が生じず、かつ、各内ピンＰ１，Ｐ２，Ｐ４が固定されないので、テープ４に傷跡４ａが生じない。
したがって、テープ４に刻設された傷跡４ａ（図１４）に基づき、第３内ピンＰ３の位置を検知することができる。
【００３５】
第４内ピンＰ４の検出；
同様に、前述の検知作業を第４ダミーキー３０ｄを用いて行い、第４内ピンＰ４の位置の位置を検知する。
すなわち、図１２に示す第４ダミーキー３０ｄを矢印の方向Ｒに回すことにより、図１３に示すように、外筒１と内筒２によって第４内ピンＰ４が挟まれて剪断力が生じ、第４内ピンＰ４が固定されることにより、第４内ピンＰ４によりテープ４に傷跡４ａが生じる。
一方、図８に示す他の長さの内ピンＰ１〜Ｐ３には、前記回動方向Ｒ（図１２）に若干の隙間があるため、第４ダミーキー３０ｄを回した場合に、下方向Ｚへの力が生じず、かつ、各内ピンＰ１〜Ｐ３が固定されないので、テープ４に傷跡４ａが生じない。
したがって、テープ４に刻設された傷跡４ａ（図１４）に基づき、第４内ピンＰ４の位置を検知することができる。
【００３６】
その後、前記各ダミーキー３０ａ〜３０ｄのテープ４の傷跡４ａ（図１４）に基づいて、図１５Ａの生鍵（ブランクキー）３に対し、図１５Ｂに示すように、各深さの係合孔３ａを加工して合鍵の作製を行う。
なお、前記合鍵作成時において、図１４に示す目盛３８を参考にすることにより、より一層正確な位置に孔３ａの加工を行うことができる。
【００３７】
このように、テープ４を貼付した各ダミーキー３０（３０ａ〜３０ｄ）を用いることにより、生鍵３に加工を施す係合孔３ａの深さを検知することができるので、作業者の勘や熟練度に頼ることなく、確実に合鍵の作成を行うことができる。
【００３８】
左右の内ピン１１：
ところで、前述のように、ピンシリンダー錠の前記外ピン１０および内ピン１１は、外筒１および内筒２の上部と共に、図１６に示すように、左右にも設けられている。
ここで、図１６Ａに示す、第４内ピンＰ４などの全長の長い内ピン１１の場合、前述の第１および第２内ピンＰ１，Ｐ２で用いた方法を適用すると、第４内ピンＰ４の外筒１からの突出量が大きくなるので、テープ４の厚みを考慮すると、第４ダミーキー３０ｄの左右の摺接面３３の厚みが極端に薄くなったり、図１６Ａに示すように、摺接面３３自体を設けることが出来なくなるため、左右別々のダミーキーを作成する必要が生じる。そのため、検知作業が著しく煩雑となる。
【００３９】
そこで、前述の第３および第４内ピンＰ３Ｐで説明した方法を用いることにより、すなわち、第４内ピンＰ４の上部１１ｃの側面が外筒１および内筒２に挟まれ固定される方法を用いれば、第４内ピンＰ４の第４ダミーキー３０ｄへの突出量を抑えることができるので、図１６Ｂに示すように、第４ダミーキー３０ｄの左右の摺接面３３が極端に薄くなるのを防止して、第４ダミーキー３０ｄを作成することができる。
【００４０】
形状の異なる内ピン１１が混在する場合：
一方、図１７Ａに示すように、同一の長さで形状の異なる第３内ピンＰ３，Ｐ３ａが混在するシリンダー錠がある。かかるシリンダー錠には、前述の第３内ピンＰ３と共に変形第３内ピンＰ３ａが用いられる。前記両第３内ピンＰ３、Ｐ３ａ共に、上部１１ｃの長さは同一に形成されている。
図１７Ｂに示すように、変形第３内ピンＰ３ａの上部１１ｃは、上部が平坦な本体部１１ｕの中央付近に段付きの突出部１１ｐが形成されている。前記突出部１１ｐには、外ピン１０の頭部１０ｃの第１曲面１０ｒに接する第２頂面１１ｔが形成されている。
【００４１】
図１７Ａに示すように、前記変形第３内ピンＰ３ａは、上部１１ｃの本体部１１ｕが第３内ピンＰ３のそれよりも短く形成されているため、このようなシリンダー錠に、前述の第３ダミーキー３０ｃを用いた場合、該第３ダミーキー３０ｃを回転させても、図１７Ｂに示すように、変形第３内ピンＰ３ａの上部１１ｃの側面に外筒１の側面が接しないことにより、変形第３内ピンＰ３ａに下方向Ｚへの力が生じず、かつ、変形第３内ピンＰ３ａが固定されないので、変形第３内ピンＰ３ａの位置を検知することができない。
【００４２】
そこで、図１８Ａに示すように、変形第３内ピンＰ３ａの上部１１ｃの本体部１１ｕの上端面１１ｈに外筒１のシェアラインＬが接するように変形第２ダミーキー３０ｂ２を形成する。
このように変形第２ダミーキー３０ｂ２を形成することにより、図１８Ｂに示すように、変形第３内ピンＰ３ａの上部１１ｃの本体部１１ｕの上端面１１ｈがシェアラインＬを構成する外筒１の下端部に接っし、該外筒１により変形第３内ピンＰ３ａが下方向Ｚに押し下げられることにより、テープ４に傷跡４ａを付けることが可能となる。
一方、第３内ピンＰ３は、前述したように、外筒１と内筒２に挟まれて固定され、テープ４に傷跡４ａが付けられる。
【００４３】
なお、ピンシリンダー錠によっては、内筒２の位置を固定するためのロッキングボールが設けられているものがある。この種のピンシリンダー錠においては、最も短い第１内ピンＰ１を検知するための第１ダミーキー３０ａをいることにより、前記ロッキングボールの位置がテープ４に傷跡４ａとして刻設されるので、該ロッキングホールの位置を検知することができる。
【産業上の利用可能性】
【００４４】
本考案のピンシリンダー錠の検知治具セットは、該ピンシリンダー錠の合鍵作製に用いることができる。
【図面の簡単な説明】
【００４５】
【図１】ピンシリンダー錠の一例を示す概略縦断面図である。
【図２】同ピンシリンダー錠の開錠状態を示す概略縦断面図である。
【図３】本考案の一実施例を示すピンシリンダー錠の検知治具の概略斜視図である。
【図４】同検知治具の概略斜視図である。
【図５】同検知治具による検知方法を示す概略横断面図である。
【図６】同検知治具による検知方法を示す概略横断面図である。
【図７】同検知治具による検知方法を示す概略横断面図である。
【図８】同検知治具による検知方法を示す概略縦断面図である。
【図９】同検知治具による検知方法を示す概略縦断面図である。
【図１０】同検知治具による検知方法を示す概略縦断面図である。
【図１１】同検知治具による検知方法を示す概略縦断面図である。
【図１２】同検知治具による検知方法を示す概略縦断面図である。
【図１３】同検知治具による検知方法を示す概略縦断面図である。
【図１４】検知済の検知治具を示す概略斜視図である。
【図１５】図１５Ａは生鍵を示す概略斜視図、図１５Ｂは作成された合鍵を示す概略斜視図である。
【図１６】同検知治具による検知方法を示す概略平面断面図である。
【図１７】変形例を示す検知治具による検知方法を示す概略縦断面図および概略横断面図である。
【図１８】変形例を示す検知治具による検知方法を示す概略縦断面図および概略横断面図である。
【符号の説明】
【００４６】
１：外筒
２：内筒
４：テープ
１０：外ピン
１０ｒ：第１頂面（第１曲面）
１１：内ピン
１１ｒ：第２頂面（第２曲面）
１１ｔ：第２頂面
２０：キー挿入溝
３０：ダミーキー
３３：摺接面
Ｌ：シェアライン
【図１】
0003132506.tif 000003
【図２】
0003132506.tif 000004
【図３】
0003132506.tif 000005
【図４】
0003132506.tif 000006
【図５】
0003132506.tif 000007
【図６】
0003132506.tif 000008
【図７】
0003132506.tif 000009
【図８】
0003132506.tif 000010
【図９】
0003132506.tif 000011
【図１０】
0003132506.tif 000012
【図１１】
0003132506.tif 000013
【図１２】
0003132506.tif 000014
【図１３】
0003132506.tif 000015
【図１４】
0003132506.tif 000016
【図１５】
0003132506.tif 000017
【図１６】
0003132506.tif 000018
【図１７】
0003132506.tif 000019
【図１８】
0003132506.tif 000020